(57)【要約】【課題】特殊な専門技術を必要とせずに、短時間にねじ込み方向の一方向だけに固定でき、容易に比較的小さい力で、緩みなく安定的に骨の接合と脱着ができるラグスクリュウを提供すること。【解決手段】ねじ込みによりネイルとラグスクリュウとを固定する構造にあって、ラグスクリュウが先端に静止安定性の高い二条ねじとねじ込みとねじ戻しのための両面刃先と後端面にねじ込み工具のためのナメ防止の三つ葉以上の葉形凹面溝を備えると共に、ラグスクリュウとスリーブをスプライン結合させて軸方向の動きを滑らかにし、二条ねじ部の谷径よりスプラインの外径を小さくして骨部に挿入でき、さらにスリーブとの位置決めのための肩部を有して、ネイルに固定するロックねじを備える構造を特徴とする。【選択図】図４
2013240556.tif 000002
【特許請求の範囲】
【請求項１】
ラグスクリュウを構成するラグスクリュウ本体をねじ込みで押し込むことにより、ガンマーネイルとラグスクリュウを固定する固定構造であって、ラグスクリュウ本体のねじ部が二条ねじで形成され、さらに二条ねじ面の相対するそれぞれの片面が垂直面に加工されていて、さらにその上に二条ねじ部の谷径よりスプラインの外径が小さくて骨部に挿入でき、ラグスクリュウが速く進み、かつ恒久的に緩まないねじ形状を特徴とするガンマーネイルとラグスクリュウとを固定する固定構造。
【請求項２】
ラグスクリュウ本体を円筒形状にして安価に製作でき、そして内径スプラインを備えて回り止めする円筒状の薄肉スリーブが形成されてなることを特徴とする請求項１に記載のガンマーネイルとラグスクリュウとを固定する固定構造。
【請求項３】
ラグスクリュウ本体とガンマーネイルとの間に回り止めをするためにガンマーネイル本体にロックねじが形成されてなることを特徴とする請求項１に記載のガンマーネイルとラグスクリュウを固定する固定構造。
【請求項４】
ラグスクリュウをねじ込むためのラグスクリュウ本体の二条ねじ部の進み切削刃の先端と骨の成長後も容易にネジ戻してラグスクリュウを取り外すための戻り切削刃の両面を備えてなることを特徴とする請求項１に記載のネイルとラグスクリュウを固定する固定構造。
【請求項５】
ラグスクリュウを回し工具により回す時に、機械的な摩擦滑りがなく機械効率よく回すために、三つ葉またはそれ以上の葉形の凹面溝を備えてラグスクリュウ本体のねじ部と反対側面に機械加工されてなることを特徴とする請求項１に記載のガンマーネイルとラグスクリュウを固定する固定構造。
【発明の詳細な説明】
【技術分野】
【０００１】  この発明は、主に大腿骨骨折の骨接合手術に使用するインプラント用のガンマーネイルとラグスクリュウとの固定構造に関する。
【背景技術】
【０００２】  従来から、ラグスクリュウを構成するストッパースクリュウのねじ込みによる押し込み力により、ガンマーネイルとラグスクリュウとを固定する固定構造は知られている。当該特許文献に示されるこれらの固定構造においては、従来技術の通常の使い方であるねじの締付け方法や回り止め方法が使われている。
【特許文献１】  米国特許第４６９７５８５号
【特許文献２】  公開特許公報  特開２００７−２３６５６８
【発明の開示】
【発明が解決しようとする課題】
【０００３】  しかしながら、上記の従来の固定構造は、主に円筒状でないために安定性に欠け、ぐらついたり、あるいはラグスクリュウが軸方向に自然に進むといった問題がある。【０００４】  この発明は上記事情に鑑みてなされたものであり、ガンマーネイルとラグスクリュウが安価に製作でき、しかも容易に短時間でかつ高い安定性を有して固定できるガンマーネイルとラグスクリュウの固定構造を提供することを目的とする。
【課題を解決するための手段】
【０００５】  この発明は、上記課題を解決するため、以下の手段を採用する。
この発明に係るガンマーネイルとラグスクリュウとの固定構造はラグスクリュウの二条ねじのねじ込み先端と反対側の三葉形凹面溝からのねじ込みによる押し込み力により、ガンマーネイルとラグスクリュウとを固定する固定構造であって、ラグスクリュウは先端ネジ切削刃と二条ねじを備える先端部材と後端に三葉形凹面溝を備えるラグスクリュウ本体、ラグスクリュウ本体にスプライン結合によりはめ込まれるスリーブ、およびガンマーネイルとラグスクリュウとの回り止めの働きをするロックねじから構成されることを特徴とする。【０００６】  上記のような構成によるガンマーネイルとラグスクリュウとの固定構造は、ラグスクリュウが容易に短時間でねじ込み工具で三葉形凹面溝をナメルことなく固定され、さらにロックねじによってガンマーネイルとラグスクリュウが固定されるので、ガンマーネイルとラグスクリュウの間においてぐらつきがなく高い静止安定性を保持することを特徴とする。
【発明の効果】
【０００７】  以上のように、この発明に係るガンマーネイルとラグスクリュウとの固定構造は、スプライン結合により滑らかに軸方向に移動できると共に、ガンマーネイルとラグスクリュウとが容易に短時間に、かつ、高度な安定性を有して固定でき、熟練した技術を必要とせずに骨接合手術を安全に行うことができる利点がある。
【発明を実施するための最良の形態】
【０００８】  本発明に係る一実施形態について、図１、図２、図３、図４を参照して説明する。【０００９】  図１はこの実施例に係るネイル１に挿入されるラグスクリュウ４の全体図を部分的に断面表示を入れて表示したものであり、図２はラグスクリュウ４の右側後端の葉形凹面溝の側面部分視であり、図３は図１に示されるラグスクリュウ４とスリーブ３の回り止め用のロックねじ固定穴６とスプライン４−３の結合を示す断面図であり、図４はラグスクリュウの先端部の切削両刃４−１，４−２を示す図である。【００１０】  この実施例に係るラグスクリュウ４は図１に示されるように、三つ葉以上の葉形凹面溝５にねじ込み工具の捩じりによる押し込み力により、ネイル１にラグスクリュウ４を固定する構造のものである。【００１１】  ラグスクリュウ４は、図１から図４に示されるように、先端部材と後端部材を含むラグスクリュウ本体４およびスリーブ３から構成される。【００１２】  先端部材はそのねじ推進部が二条ねじで構成され、ラグスクリュウ４が一回転でピッチの二倍進む構造で、これにより素早くネジの押し込みが可能となる。さらに、ネジの歯面の形状を図１に見られるように相対する一方側をそれぞれ軸線に対してほぼ垂直にして、これにより押し進む方向と戻る方向の両方に抵抗し、従って、緩み止めの効果を発揮する。さらに先端の刃先はねじ込み時のドライビング・スクリュウのための刃先４−１とさらにその上にネジを戻す時の抵抗を少なくするための逆の刃先４−２の両方を備えている。【００１３】  ラグスクリュウ４の後端部材は先端部材と一体構造で作られ、最後端面にはねじ込み工具が挿入される、摩擦接触面が大きく取れる三つ葉以上の葉形凹面溝５が備えられる。【００１４】  スリーブ３はラグスクリュウ４にスプラインに沿って滑らかに滑り結合され、ラグスクリュウ４の軸方向の自由運動を与える。スリーブ３にはさらにネイル１との相対的回り止めのためのロックねじ用の固定用穴６が備えられ、さらにネイル１に対するスリーブ３の位置合わせのためにスリーブ３にはネイル１の１−１に当たる肩部３−１が備えられる。【００１５】  この発明によれば、ラグスクリュウ４のネイル１への装着後にはそれらの結合は自然に緩むことなく、常に安定な静止状態を保持し、その上、着脱時には無理な力を掛けずに、骨にも負担を掛けずに取り外すことができる。【００１６】  なお、この発明の技術範囲は上記実施の形態に限定されるものではなく、本発明の趣旨を逸脱しない範囲において種々の変更を加えることが可能である。
【産業上の利用可能性】
【００１７】  この発明によるラグスクリュウ４の利用により、特殊な専門技術を必要とせずに、短時間で、容易に比較的軽い力で、緩みなく安定的に骨の接合および脱着を行うことができる。
【図面の簡単な説明】
【００１８】
【図１】この発明の一実施形態に係るネイルとラグスクリュウの固定構造を説明するためのシステム構成図である。
【図２】この発明の一実施形態に係るラグスクリュウの後部端部面のねじ込み工具の挿入のための三葉形凹面溝の図である。
【図３】この発明の一実施形態に係るラグスクリュウとスリーブの回り止めのためのロックねじ用の固定用穴とスプライン４−３の図である。
【図４】この発明の一実施形態に係るラグスクリュウの先端部の両面刃先４−１，４−２を表す図である。
【符号の説明】
【００１９】１  ネイル
１−１  スリーブ３−１とのネイルとの当て面
２  ロックねじ
３  スリーブ
３−１  ネイル当て面１−１とのスリーブ当て面
４  ラグスクリュウ４の二条ねじ
４−１  ねじ込み切り刃先
４−２  ねじ戻し切り刃先
４−３  スプライン
５  三葉形凹面溝
６  ロックねじ用固定穴
【図１】
2013240556.tif 000003
【図２】
2013240556.tif 000004
【図３】
2013240556.tif 000005
【図４】
2013240556.tif 000006